(57)【要約】少なくとも一つの型材要素（１０）と転向装置（２５）とを有し、上記型材要素と転向装置にて、駆動連続コンベアチェーンが駆動されるコンベアのための転向装置である。型材要素は転向装置の方向でのチェーンの移動のための第一ガイド（１１，１１’）と転向装置から離れるチェーンの移動のための第二ガイド（１２，１２’）とを有している。少なくとも一つの転向装置は互いに対向する一対の壁要素（２５）に形成された第三ガイド（３０，４０）を有し、該第三ガイドが第一そして第二ガイドと接続可能であり、そしてチェーンの移動方向を逆にする部分（３０’’，３０’’）を有している。各壁要素（２５）は、コンベアの両側で案内／ガイド要素とスナップ結合される固定部（３０）を有している。
2004502618.tif 000002
【特許請求の範囲】
【請求項１】
コンベア軌道で、少なくとも一つの型材要素（１０）と転向装置にて、駆動装置によって駆動される連続コンベアチェーンを有するコンベアのための転向装置であって、各型材要素が転向装置の方向でのチェーンの移動のための第一ガイド（１１，１１’）と転向装置から離れるチェーンの移動のための第二ガイド（１２，１２’）とを有し、転向装置は互いに対向する一対の壁要素（２５）に形成された第三ガイド（３０，４０）を有し、該第三ガイドが第一そして第二ガイドと接続可能でありそしてチェーンの移動方向を逆にする部分を有している装置において、チェーンの移動方向を逆にする上記部分はコンベアチェーンの両側で一対の固定部（３０）を有し、上記壁要素（２５）と一体化され、上記固定部へスナップ結合されるスナップイン案内要素（４０）をも備えていることを特徴とする転向装置。
【請求項２】
各案内要素（４０）が低摩擦材料で一部材として形成されていることとする請求項１に記載の転向装置。
【請求項３】
各案内要素は、第一ガイド（１１，１１’）そして第二ガイド（１２，１２’）と共にコンベアチェーンのための実質的に中断されない案内径路を形成するように、一対の第一腕端部（３２，３３）をもった実質的にＵ字状形をなしていることとする請求項２に記載の転向装置。
【請求項４】
各案内要素（４０）が第一腕端部（３２，３３）を揺動変位可能にそしてＵ字の面内で正規位置に復帰できるような材料で作られていること、各案内要素がさらに、撓むように揺動変位そして正規位置に復帰して第一腕端部内に位置することが可能であると共に、第一ロック爪（３８）と第二ロック爪（３９）を有する一対の第二腕端部（３６，３７）を備えること、各壁要素（２５）の内側で、固定部（３０）が対応せる第三ロック爪（４３）と第四ロック爪（４４）とを有し、これらが、組込状態で、揺動変位して少なくとも部分的に正規位置に戻ったとき、対応せる第一ロック爪（３８）と第三ロック爪（４３）そして第二ロック爪（３９）と第四ロック爪（４４）のそれぞれによって案内要素（４０）が固定保持されるように配設されていることとする請求項３に記載の転向装置。
【請求項５】
一対の第二腕端部（３２，３３）における両腕端部の一方（３３）が他方より少ない湾曲の曲り径路に続いていること、案内要素と壁要素でのロック爪（３８，３９；４３，４４）のそれぞれの対応固定面が、コンベアの組込み状態で、転向装置で反対方向に走行するチェーン部材の面に実質的に直角に案内されることとする請求項４に記載の転向装置。
【請求項６】
各壁要素の内側に部分円形の固定縁（３０’’’，３０’’）が形成され、一対の第二腕端部（３６，３７）によって包囲されていることとする請求項５に記載の転向装置。
【請求項７】
Ｕ字状案内要素の一対の第一腕端部（３２，３３）とこれらを互いに接合する部分とはスライドレールとして形成され、コンベアの組込み状態で、これらが転向装置の延長部（２８，２９）の対応スライドレールに直接接続されていることとする請求項６に記載の転向装置。
【請求項８】
延長部が壁要素（２５）と一体部を構成し、一体に形成された接続部（２６）を有し、型材要素（１０）の対応溝（１３，１３’）に固定されるように受け入れられる寸法となっていることとする請求項７に記載の転向装置。
【請求項９】
各壁要素は適合する接続部材（４５，４６）とローラそして／又はチェーン駆動部材の転向のための固定部（４７）とを有していることとする請求項８に記載の転向装置。
【請求項１０】
案内要素の一対の第一腕端部（３２，３３）は厚みが減じられた外端（３４，３５）を有し、該外端が延長部（２８，２９）のスライドレールとの接続部を形成していることとする請求項９に記載の転向装置。
【請求項１１】
転向装置の壁要素（２５）は軽合金、好ましくは、アルミニウムあるいはその合金でそれぞれ一体に鋳物として成形されていることとする請求項１ないし請求項１０のうちの一つに記載の転向装置。
【請求項１２】
連続コンベアのための転向装置に用いられる請求項１ないし請求項１１のうちの一つに記載の案内要素。
【発明の詳細な説明】
【０００１】
＜発明の属する技術分野＞
本発明は、コンベアのための転向装置、さらに詳しくは、連続走行コンベアチェーンあるいは同等のものを有するコンベアのための転向装置に関する。
【０００２】
＜従来の技術＞
型材要素として形成されてチェーンを支持し案内する要素で連続コンベアチェーンを案内することは永く知られている。かかる要素は、通常、押し出し成形され、その材料の適切な選択によって、目的に応じた要素として広い範囲で提供する。明らかな一つの要求は、勿論、十分な強度そして最適押し出し成形性である。アルミニウムそしてアルミニウム合金は、他の軽合金と同様、要求に適合してきた。強度の点で満足する型材の形状と、特殊なチェーンの案内に必要な型材の形状とを組み合わせることによって、目的に最も適した型材の形状を得ることができる。
【０００３】
連続チェーンコンベアは、又、勿論、転向装置、特に第一方向から反対方向の第二方向へチェーンの移動方向を反転させる転向装置を必要とする。
【０００４】
かかる転向装置は、従来、複数の別要素を鋳物によって作っており、これらの要素は互いに結合組立てられ上記型材要素に接合される。上記転向装置における構造要素も、通常、この目的での十分な強度そして耐久性をもったアルミニウムや他の金属で作られている。
【０００５】
これらの転向装置は、転向ローラ、又、或る場合には、転向ローラと駆動ローラの組合せを収めるような形態となっている。
【０００６】
強度上の要求を別にすると、寸法公差についての要求は、又、勿論、チェーンが転向装置へ導入されて向きを変え、何の乱れもなく、型材要素へ再び導入できるように定められる。これらの要求は、従来、別体に作られた支持ガイドを用いることで対応しており、この支持ガイドは、追加的製造工程で、転向装置のチェーンを覆う壁に両側で取付けられていた。
【０００７】
押出し成形されるコンベア要素と転向装置にとっての他の重要な要求は、これらがチェーンに対する摩擦を最小にすることである。これは、従来、適切な材料で作られたスライドレールを、型材要素の支持ガイドに、そして転向装置の別の支持ガイドに用いることによって解決されてきた。かかる材料は、例えば、ポリアミド、ＨＤポリエチレン、ＵＨＷポリエチレンである。
【０００８】
したがって、重要な要求の多くは、転向装置に課せられており、そしてこれらの用途に適合させるために、多くの別体の構造要素は耐力を有し、そして低摩擦となるように作られて転向装置がこれらから構成されていた。組立の現場からは、組立工程が最小の回数となることが望まれる。組立てが時間を要し、したがってコスト高となることを別にしても、誤った部材での組立ては、所定の機能そして寿命が得られなくなるという結果をもたらす。製造時には、別々の各製造工程はコスト高をもたらす。
【０００９】
別々の部材を在庫しておくことは、さらにコスト高とする要因である。
【００１０】
＜発明の目的＞
転向装置では、コンベアチェーンは一つの移動方向から反対方向へと転向され、チェーンや支持／ステアリング要素の位置に何の変化をもたらすことなく、ガイドが作用力に対処できることが非常に重要である。支持ガイドが別の構造要素として設計されている公知の装置では、組立てが正しくないと運転時に問題をもたらす。これらは直接的には気がつかないが、コンベアの作動寿命を著しく短くすることがある。
【００１１】
本発明の目的は、従来の転向装置の上述の問題が解消される、連続コンベアチェーンを有するコンベアを提供することである。
【００１２】
転向装置は、チェーンの移動方向が最初の移動方向から反対方向に反転し、コンベアのチェーン部材が押し出し成形型材にて比較的短い距離でそして少なくとも一つのさらなる転向装置によって支持され案内される、連続コンベアチェーンを有するコンベアに特に有用である。
【００１３】
＜発明の要約＞
本発明の上記目的は、特許請求の範囲の請求項１に掲げられた転向装置により達成される。従属項は本発明による構成の好ましい形態を示している。
【００１４】
＜発明の実施の形態＞
本発明の実施形態が添付図面に図示されている。
【００１５】
図１には、型材要素１０の一部が示されており、これはいかなる長さにも選定でき、直状桁材の形態で、好ましくはアルミニウムの押し出し成形により作られている。この直状桁材の構造は図４に見られる。図から明らかなように、桁材はその縦方向中央面に対して対称であり、コンベアチェーンのための第一支持そしてステアリングガイドを形成する、互いに対向せる一対のフランジ１１，１１’を有している。桁材は、又、コンベアチェーンのために下側に第二支持そしてステアリング軌道を形成する、互いに対向せる一対のフランジ１２，１２’をも有している。桁材は、これに加えて、各長手側面に沿って凹部又は溝１３，１３’を有していて、これらは図にて縦方向に立つウェブ１４，１４’によって内側で境界づけられている。これらのウェブ１４，１４’は、図示のごとく角度をもってほぼ水平に延び、桁材の構造を捩り方向に高剛性で強度の高いものとしているウェブ１５，１５’と一体となっている。桁材のほぼ縦方向の縦壁１６，１６’は、図４に示されるように、下部で長手に延びる溝１７，１７’を有し、この溝で、例えば、コンベアを支持する脚のクランプあるいは同様なものが固定される。
【００１６】
上方のフランジ／第一ガイド１１，１１’上には、（通常）スライドレールを介して、図２そして３に示されるチェーンリンク２０の対応外端１８，１９，１８ａ，１９ａ；１８’，１９’，１８’ａ，１９’ａが支持される。
【００１７】
下側フランジ／第二ガイド１２，１２’上では、チェーンリンク２０の脚状要素２１が、コンベアチェーンの下ストランドで、すなわち、チェーンの移動方向がガイド１１，１１’に沿った最初の方向からガイド１２，１２’に沿った反対方向に反転した後に支持される。個々のリンク２０はピンを受けるための内径２２，２３，２４を有し、このピンはチェーンの面でそしてこれに直角に個々のリンクと一緒に可撓に保持される。
【００１８】
図１には、本発明による転向装置の一部をなす壁要素２５が概略的に示されている。壁要素は、一部材として、好ましくは、アルミニウムもしくは他の軽合金の鋳物により作られている。図１に見られるように、壁要素２５は縦方向において桁としての型材要素１０と同じ範囲に及んでいる。壁要素には接続部２６が一体として設けられており、該接続部は、型材要素に形成された溝１３，１３’と対応する断面を有し、且つウェブ１４，１４’に締結するためのねじを受け入れる固定孔２７を有している。壁要素２５はフランジ２８を有し、該フランジは取付状態において、フランジ１１の実質的に直接的な延長部を形成する。これと同様に、フランジ２９が壁要素２５の下部に設けられていて、組立状態において、このフランジは、下側フランジ／第一ガイド１２の実質的に直接的な延長部を形成する。両方のフランジ２８，２９は壁要素２５と一体的に形成され、転向装置２５における第三ガイドの一部をなしている。
【００１９】
壁要素２５の内側には、部分的に円弧状の固定部３０が壁要素と一体に設けられている。この固定部は、本発明では、案内／スライド要素４０（図５，図６参照）を動かないように支持するためのものである。この固定部３０に固定される案内／スライド要素はフランジ２８，２９そしてスライドレール（図示せず）と共にコンベアチェーンのための第三ガイド、すなわち、チェーンの移動方向が最初の方向から反対方向へ転向するためのガイドを形成する。
【００２０】
案内／スライド要素４０は、例えば、ポリアミド、ＨＤポリエチレン、ＵＨＷポリエチレンを射出成形した低摩擦材で、図５の線３１に対して対称なＵ字状をなす形状となっている。要素４０は一対の第一腕端部３２，３３を有し、ここで腕端部３３はもう一つの腕端部３２に比して中央面３１に関して多く湾曲している。腕端部３２，３３は薄肉部３４，３５を有し、これらの上側と下側が組立状態でそれぞれのフランジ２８，２９の面に位置する。図５において、半径方向内方には、第一腕端部３２，３３内に第二腕端部材３６，３７が設けられており、これらの腕端部のそれぞれはロック爪３８，３９を有している。既述のように、案内／スライド要素４０は、低摩擦材料で、好ましくは、例えばポリアミド、ＨＤポリエチレン、ＵＨＷポリエチレンを射出成形して作られており、図５，６に示される形態で、腕端部３２，３３；３６，３７が可撓性を有し、すなわち、Ｕ字の面で正規位置に戻るように揺動撓みを生ずる。
【００２１】
内側の腕端部は要素４０の部分円弧周壁に沿って分布せる複数のウェブ４１によって外側の腕端部と連結されていて、これは、図５で矢印４２の方向に、好ましくはこの場合、腕端部３２と固定部３０（以下に示す）に解除可能に固定されたロック爪３８，３９との下側に作用する力、あるいは、このようないかなる力（特に腕端部３７と３６の湾曲に関して）が、ロック爪３８，３９を簡単に解除するために用いられ、又、このような力がなくとも確実に係合することを意味する。
【００２２】
図７〜９に見られるように、案内／ガイド要素は、壁要素２５と一体化されている固定部３０に取りつけられるようになっている。固定部３０は平坦面３０’を有し、これは壁要素２５の平坦面２５’との間に距離があり、そして、図１に見られるように、フランジ部３０’’が固定部３０の剛性部の部分円状部３０’’’から部分円をなして張り出している。それ故、フランジ３０’’と壁要素２５の内側２５’との間には、図８に概略を示したギャップ幅ｄ１のギャップが形成される。このギャップ幅ｄ１は図１２に示される寸法ｄ２よりも幾分大きく、該ギャップを横切って測られる腕端部３６，３７の寸法に関係する。図１２に見られるように、腕端部３６，３７の（側面２５’に当接するようになっている）底部側は、半径方向内側に、腕端部３２，３３そして互いに結合する部分と鋭角をなす形にもなっている。この目的は後に明確になる。
【００２３】
固定部３０には第三，第四ロック爪とも言えるロック爪４３，４４があり、案内／ガイド要素４０のロック爪３８，３９と係合する形となっている。フランジ３０’’を形成する面３０’と面２５’の間のギャップはそれぞれのロック爪４３，４４から少し離れた位置で閉じられる。この理由は、ロック爪の係合そして解除の両方がこれによって容易となるからである。
【００２４】
又、壁要素２５には、一体化された結合部４５，４６が設けられていて、壁要素２５と反対側に位置していて該壁要素２５と協働する壁要素（図示せず）との対応部と協働するようになっている。これに加えて、壁要素の内側には、コンベアチェーンの適宜駆動手段を収容するための空間４７が形成されている。図７にも見られるように、案内／ガイド要素４０は、壁要素２５へその端から導入される。ロック爪３８，３９は、最初、フランジ３０’’と壁面２５’との間のギャップに入り、そして腕端部３６，３７の底側４８が続いて、図１２で下側に向け、ギャップ４８の底壁に向けて圧入され、要素４０の導入が矢印４９の方向に続行される。最後に内側の腕端部のロック爪３８，３９が固定部３０のロック爪４３，４４の背部でスナップ係合し、こうして案内／ガイド要素は正規位置に確実に固定されると共に壁要素２５の内側２５’に対して面４８に近接する。
【００２５】
要素４０が一旦正規位置にもたらされると、壁要素２５とその接続部２６が溝１３，１３’の正規位置に、対応フランジ２８，２９と型材要素のフランジ１１，１１’；１２，１２’にスライドレールが適合し、残りのすべてが駆動装置を組み込みそして二つの壁要素２５を接合して完成した転向装置を形成するようになる。
【００２６】
本発明は図示の実施形態のもとに説明されたが、本発明はこれに限定されない。本発明は特許請求の範囲に記載された内容によってのみ限定される。
【００２７】
【発明の効果】
【図面の簡単な説明】
【図１】
コンベアチェーンが支持そして案内されている型材要素の上に搭載された、本発明の転向装置の一部を示す斜視図である。
【図２】
上方から見たコンベアチェーンのリンクを示す。
【図３】
前方から見た図２のリンクを示す。
【図４】
図１のコンベアにおける型材要素の断面図である。
【図５】
図１の転向装置に装着される案内／スライド要素の側面図である。
【図６】
他の側から見た案内／スライドの側面図である。
【図７】
案内／ガイド要素をもつ転向装置の壁要素を側方から概略を示す斜視図である。
【図８】
図７の壁要素の概略を示す斜視図と幾分異なる角度から見た案内／スライド要素の斜視図である。
【図９】
案内／スライド要素が取りつけられた図７〜８の壁要素を示す。
【図１０】
図９に示されたものを反対側から見た図である。
【図１１】
案内／ガイド要素を横方向に切ったときの斜視図である。
【図１２】
切られた図１１の案内／ガイド要素の切断端から見た図である。
【国際公開パンフレット】
2004502618.tif 000003
2004502618.tif 000004
2004502618.tif 000005
2004502618.tif 000006
2004502618.tif 000007
2004502618.tif 000008
2004502618.tif 000009
2004502618.tif 000010
2004502618.tif 000011
2004502618.tif 000012
2004502618.tif 000013
2004502618.tif 000014
2004502618.tif 000015
2004502618.tif 000016
2004502618.tif 000017
2004502618.tif 000018
2004502618.tif 000019
2004502618.tif 000020
2004502618.tif 000021
【国際調査報告】
2004502618.tif 000022
2004502618.tif 000023